【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  データを記憶する記憶デバイスに接続されるとともに、ネットワークを介して情報処理装置と接続され、筐体に収納される記憶デバイス制御装置であって、
前記情報処理装置からのデータ入出力要求に対応するＩ／Ｏ要求を、前記記憶デバイスに対して出力するＩ／Ｏプロセッサが形成された、前記筐体に収納される回路基板を有し、
前記回路基板は、前記筐体の内方側に位置すべき端部に内方側コネクタを有し、
前記内方側コネクタを通じて、少なくとも前記Ｉ／Ｏプロセッサと電源装置とが接続され、
前記回路基板には、前記データ入出力要求をファイル単位で受け付けるファイルアクセス処理部が形成され、
前記回路基板は、前記筐体の外方側に位置すべき端部に前記ファイルアクセス処理部へ電力を供給するための電力用コネクタを備えている、
ことを特徴とする記憶デバイス制御装置。
【請求項２】  前記筐体は、前記内方側コネクタを介して前記回路基板を支持する支持部を備え、
前記支持部は、前記電源装置から少なくとも前記Ｉ／Ｏプロセッサに電力を供給するための導電部の一部を備えている、
ことを特徴とする請求項１に記載の記憶デバイス制御装置。
【請求項３】  前記回路基板は、前記筐体の外方側に位置すべき端部に通信用コネクタを有し、前記通信用コネクタを通じて、前記ファイルアクセス処理部と前記情報処理装置とが接続されることを特徴とする請求項１又は２に記載の記憶デバイス制御装置。
【請求項４】  前記筐体は、収納される前記回路基板に対して空気流を形成するための送風部を備えていることを特徴とする請求項１乃至３のいずれかに記載の記憶デバイス制御装置。
【請求項５】  前記ファイルアクセス処理部は、前記回路基板における前記空気流の上流側に形成されていることを特徴とする請求項４に記載の記憶デバイス制御装置。
【請求項６】  前記ファイルアクセス処理部と前記Ｉ／Ｏプロセッサとは、互いに平行で重なった状態にある複数枚の回路基板を一組とする回路基板部に、互いに分けて形成されていることを特徴とする請求項４又は５に記載の記憶デバイス制御装置。
【請求項７】  前記回路基板において、前記ファイルアクセス処理部と前記電力用コネクタとの間に、前記電源装置から入力される電圧を降下させて前記ファイルアクセス処理部に供給する電圧変換部が形成されていることを特徴とする請求項１乃至６のいずれかに記載の記憶デバイス制御装置。
【請求項８】  前記電源装置から電力用ケーブルを介して、電力が前記電力用コネクタへ供給されることを特徴とする請求項１乃至７のいずれかに記載の記憶デバイス制御装置。
【請求項９】  データを記憶する記憶デバイスに接続されるとともに、ネットワークを介して情報処理装置と接続され、筐体に収納される記憶デバイス制御装置に用いられる回路基板であって、
前記情報処理装置からのデータ入出力要求に対応するＩ／Ｏ要求を、前記記憶デバイスに対して出力するＩ／Ｏプロセッサが形成され、
前記筐体に収納されるとともに、
前記筐体の内方側に位置すべき端部に内方側コネクタを有し、
前記内方側コネクタを通じて、少なくとも前記Ｉ／Ｏプロセッサと電源装置とが接続され、
前記データ入出力要求をファイル単位で受け付けるファイルアクセス処理部が形成され、
前記筐体の外方側に位置すべき端部に前記ファイルアクセス処理部へ電力を供給するための電力用コネクタを備えている、
ことを特徴とする記憶デバイス制御装置用回路基板。
【請求項１０】  前記筐体は、前記内方側コネクタを介して前記回路基板を支持する支持部を備え、
前記支持部は、前記電源装置から少なくとも前記Ｉ／Ｏプロセッサに電力を供給するための導電部の一部を備えている、
ことを特徴とする請求項９に記載の記憶デバイス制御装置用回路基板。
【請求項１１】  前記筐体の外方側に位置すべき端部に通信用コネクタを有し、前記通信用コネクタを通じて、前記ファイルアクセス処理部と前記情報処理装置とが接続されることを特徴とする請求項９又は１０に記載の記憶デバイス制御装置用回路基板。
【請求項１２】  前記筐体は、収納される前記回路基板に対して空気流を形成するための送風部を備えていることを特徴とする請求項９乃至１１のいずれかに記載の記憶デバイス制御装置用回路基板。
【請求項１３】  前記ファイルアクセス処理部は、前記空気流の上流側に形成されていることを特徴とする請求項１２に記載の記憶デバイス制御装置用回路基板。
【請求項１４】  互いに平行で重なった状態にある複数枚を一組としてなる回路基板部に対して、前記ファイルアクセス処理部と前記Ｉ／Ｏプロセッサとは、互いに分けて形成されていることを特徴とする請求項１２又は１３に記載の記憶デバイス制御装置用回路基板。
【請求項１５】  前記ファイルアクセス処理部と前記電力用コネクタとの間に、前記電源装置から出力される電圧を降下させて前記ファイルアクセス処理部に印加する電圧変換部が形成されていることを特徴とする請求項９乃至１４のいずれかに記載の記憶デバイス制御装置用回路基板。
【請求項１６】  前記電源装置から電力用ケーブルを介して、電力が前記電力用コネクタへ供給されることを特徴とする請求項９乃至１５のいずれかに記載の記憶デバイス制御装置用回路基板。
【請求項１７】  データを記憶するディスクドライブに接続されるとともに、ネットワークを介して情報処理装置と接続され、筐体に収納される記憶デバイス制御装置であって、
電源装置と、回路基板と、前記回路基板に空気流を形成するための冷却ファンと、を備え、
前記回路基板は、
前記情報処理装置からのデータ入出力要求に対応するＩ／Ｏ要求を前記ディスクドライブに対して出力するＩ／Ｏプロセッサと、
前記筐体の内方側に位置すべき端部に配置される、前記Ｉ／Ｏプロセッサを前記電源装置に接続するためのボード接続用コネクタと、
ＣＰＵ、メモリ、並びに前記ＣＰＵ及び前記メモリ間のデータの転送を制御するメモリ制御部を有し、前記Ｉ／Ｏプロセッサとの間に前記空気流を通す間隙を設けて配置される、前記データ入出力要求をファイル単位で受け付けるファイルアクセス処理部と、
前記筐体の外方側に位置すべき端部に配置される、前記ファイルアクセス処理部に電力を供給するための電力用コネクタと、を備えること、
を特徴とする記憶デバイス制御装置。
【請求項１８】  データを記憶するディスクドライブに接続されるとともに、ネットワークを介して情報処理装置と接続され、筐体に収納される記憶デバイス制御装置であって、
電源装置と、第１及び第２の回路基板と、前記第１及び第２の回路基板に対して空気流を形成するための冷却ファンとを備え、
前記第１及び第２の回路基板は、前記冷却ファンにより形成される空気流を通す間隙を設けて配置され、
前記第１の回路基板は、
前記情報処理装置からのデータ入出力要求に対応するＩ／Ｏ要求を前記ディスクドライブに対して出力するＩ／Ｏプロセッサを備え、
前記第２の回路基板は、
前記Ｉ／Ｏプロセッサを前記電源装置に接続するためのボード接続用コネクタと、
ＣＰＵ、メモリ、並びに前記ＣＰＵ及び前記メモリ間のデータの転送を制御するメモリ制御部を有し、前記データ入出力要求をファイル単位で受け付けるファイルアクセス処理部と、
前記筐体の外方側に位置すべき端部に配置される、前記ファイルアクセス処理部に電力を供給するための電力用コネクタと、を備えること、
を特徴とする記憶デバイス制御装置。
【手続補正２】
【補正対象書類名】明細書
【補正対象項目名】０００８
【補正方法】変更
【補正の内容】
【０００８】
【課題を解決するための手段】
本発明のうち主たる発明は、データを記憶する記憶デバイスに接続されるとともに、ネットワークを介して情報処理装置と接続され、筐体に収納される記憶デバイス制御装置であって、前記情報処理装置からのデータ入出力要求に対応するＩ／Ｏ要求を、前記記憶デバイスに対して出力するＩ／Ｏプロセッサが形成された、前記筐体に収納される回路基板を有し、前記回路基板は、前記筐体の内方側に位置すべき端部に内方側コネクタを有し、前記内方側コネクタを通じて、少なくとも前記Ｉ／Ｏプロセッサと電源装置とが接続され、前記回路基板には、前記データ入出力要求をファイル単位で受け付けるファイルアクセス処理部が形成され、前記回路基板は、前記筐体の外方側に位置すべき端部に前記ファイルアクセス処理部へ電力を供給するための電力用コネクタを備えている。